(57)【要約】【課題】  瞬低時の電圧レベルを記録保存し、電源の監視機能を向上させる。【解決手段】  内部回路に電源を供給する内部電圧変換装置２と、前記内部回路に印加されている電圧を検出する分圧回路４と、前記分圧回路４の出力電圧と所定の電圧に設定された基準電圧６とを比較する比較回路５と、前記分圧回路４の出力電圧を記録保存する記録媒体１０とを備え、瞬低時に前記分圧回路４の出力電圧が前記基準電圧６よりも低下したとき、前記記録媒体１０に電圧レベルを記録保存するようにしたことを特徴とする。【選択図】  図１
2007104770.tif 000002
【特許請求の範囲】
【請求項１】
内部回路に電源を供給する内部電圧変換装置と、
前記内部回路に印加されている電圧を検出する分圧回路と、
前記分圧回路の出力電圧と所定の電圧に設定された基準電圧とを比較する比較回路と、
前記分圧回路の出力電圧を記録保存する記録媒体とを備え、
瞬低時に前記分圧回路の出力電圧が前記基準電圧よりも低下したとき、前記記録媒体に電圧レベルを記録保存するようにしたことを特徴とする保護リレー。
【請求項２】
前記内部電圧変換装置の一次側回路に前記分圧回路を接続したことを特徴とする請求項１に記載の保護リレー。
【請求項３】
前記内部電圧変換装置の二次側回路に前記分圧回路を接続したことを特徴とする請求項１に記載の保護リレー。
【発明の詳細な説明】
【技術分野】
【０００１】
本発明は、受配電設備における開閉器の開閉制御やデータの伝送機能などを有する保護リレーに関する。
【背景技術】
【０００２】
従来、スイッチギヤのような受配電設備に用いられる保護リレーにおいては、主回路の電圧や電流などの異常状態を検出して開閉器を開閉制御したり、中央監視室にデータを伝送したりする機能を有するものがある（例えば、特許文献１参照。）。
【０００３】
この種の保護リレーでは、所定の電圧変動下において良好に運転が行われ、また、時間数十ｍｓ以内の所定の許容時間内での瞬時電圧低下（以下、瞬低という）があったときにも運転が継続されるようになっている。しかしながら、所定の電圧以下で所定の許容時間以上での瞬低が起きると、運転は停止される。そして、瞬低時には、その発生日時の履歴を記録保存するようになっているが、低下した電圧やその継続時間までを記録保存するようにはなっていない。同様に、保護リレー内部の電源回路の異常により瞬低が発生しても、それを保存するようにはなっていない。
【特許文献１】特開２００１−２５８１１０号公報  （第３ページ、図１）
【発明の開示】
【発明が解決しようとする課題】
【０００４】
上記の従来の保護リレーにおいては、次のような問題がある。
【０００５】
瞬低により保護リレーが停止すると、運転再開のための復旧作業に多大の時間を要していた。即ち、瞬低の要因調査として、制御電源の一次側では、電力会社への問合せをしたり、電源バッテリーを持つものでは誤動作を調査したりしなければならなかった。また、制御電源の二次側では、保護リレー内部の電源回路の故障などを調査しなくてはならなかった。
【０００６】
このため、瞬低時において、低下した電圧やその継続時間を記録保存し、瞬低の要因が外雷のような異常で一時的に低下したものか、故障から生じて継続的に低下したものかなどが調査でき、復旧作業を容易にし得ることが望まれていた。即ち、瞬低時の監視機能を向上し得る保護リレーが望まれていた。
【０００７】
本発明は上記問題を解決するためになされたもので、瞬低時に低下した電圧や継続時間を記録保存し、電源の監視機能を向上し得る保護リレーを提供することを目的とする。
【課題を解決するための手段】
【０００８】
上記目的を達成するために、本発明の保護リレーは、内部回路に電源を供給する内部電圧変換装置と、前記内部回路に印加されている電圧を検出する分圧回路と、前記分圧回路の出力電圧と所定の電圧に設定された基準電圧とを比較する比較回路と、前記分圧回路の出力電圧を記録保存する記録媒体とを備え、瞬低時に前記分圧回路の出力電圧が前記基準電圧よりも低下したとき、前記記録媒体に電圧レベルを記録保存するようにしたことを特徴とする。
【発明の効果】
【０００９】
本発明によれば、電源の瞬低時の電圧やその継続時間を記録媒体に記録保存するようにしているので、保護リレーによる電源の監視機能を向上させることができ、瞬低後の復旧作業を容易にすることができる。
【発明を実施するための最良の形態】
【００１０】
以下、図面を参照して本発明の実施例を説明する。
【実施例１】
【００１１】
先ず、本発明の実施例１に係る保護リレーを図１を参照して説明する。図１は、本発明の実施例１に係る保護リレーの回路構成を示す図である。
【００１２】
図１に示すように、保護リレー１には、内部回路に電源を供給する内部電圧変換装置２（二次側制御電源）が設けられ、受配電設備の主回路に接続されている一次側制御電源３から電源の供給を受けている。
【００１３】
内部電圧変換装置２の一次側回路には、電源電圧を検出する分圧回路４が接続され、その出力電圧が比較回路５で例えば定格電圧の７５％以上の所定の電圧に設定された基準電圧６と比較されるようになっている。比較回路５の出力は、瞬低に関する演算を行うＣＰＵ７に入力されている。また、分圧回路４の出力電圧も、Ａ／Ｄ変換回路８を介してＣＰＵ７に入力されている。ここで、分圧回路４は、一次側制御電源３の電圧を、内部回路に適する制御電圧に分圧を行うものである。
【００１４】
ＣＰＵ７は、内部電圧変換装置２の二次側に接続されたコンデンサやバッテリーなどを有する電源保持回路９から電源が供給され、瞬低が起きても所定の時間内において、電源が供給されるようになっている。ＣＰＵ７で演算した結果は、ＣＰＵ７と同様に電源保持回路９から電源の供給を受ける不揮発性メモリ１０（記録媒体）に記録保存される。なお、内部電圧変換装置２の二次側には、保護リレー１を構成する他の内部回路１１が接続されている。
【００１５】
そして、受配電設備の主回路で瞬低が起きた場合には、低下した電圧を比較回路５で基準電圧６と比較する。瞬低により低下した電圧が基準電圧６よりも下回っていれば、比較回路５からＣＰＵ７に割り込み指令を発し、Ａ／Ｄ変換回路８でデジタル変換された電圧値やその電圧の継続時間などの電圧レベルの演算を行い、その結果を不揮発性メモリ１０に記録保存する。また、不揮発性メモリ１０には、瞬低の日時なども記録されるようになっている。
【００１６】
このように、瞬低時の電圧レベルを不揮発性メモリ１０に記録保存しているので、瞬低が外雷のような異常で一時的に電圧が低下したものか、受配電設備の主回路の故障から生じて継続的に電圧が低下したものかを解析することができる。一般的に外雷によるものでは、電圧低下が短時間で起こり、また、故障によるものでは、長時間に亙って電圧が大きく低下する傾向にある。
【００１７】
更に、受配電設備の負荷側に接続されている機器においては、電圧が低下した割合とその継続時間により、瞬低の影響を受ける程度が異なってくる。一般的にパワエレを応用した機器では瞬低の影響を大きく受け、また、パソコンのような内部電源を有するものではその影響が小さいとされているので、電圧レベルの解析により、それぞれの機器に対する対応が容易となる。
【００１８】
これらのことから、瞬低による電圧低下の要因を短時間で解析でき、また、他の機器への影響を調査することができ、復旧作業を容易にすることができる。
【００１９】
上記実施例１の保護リレー１によれば、瞬低時の電圧レベルを不揮発性メモリ１０に記録保存するようにしているので、電源の監視機能を向上させることができ、瞬低後の復旧作業を容易にすることができる。
【実施例２】
【００２０】
次に、本発明の実施例２に係る保護リレーを図２を参照して説明する。図２は、本発明の実施例２に係る保護リレーの回路構成を示す図である。なお、この実施例２が実施例１と異なる点は、分圧回路を内部電圧変換装置の二次側に接続したことである。図２において、実施例１と同様の構成部分においては、同一符号を付し、その詳細な説明を省略する。
【００２１】
図２に示すように、保護リレー１の内部に電源を供給する内部電圧変換装置２（二次側制御電源）の二次側回路に分圧回路４が接続され、その出力電圧が基準電圧６と比較されるようになっている。なお、分圧回路４は、実施例１と比べて分圧比などが異なる。また、内部電圧変換装置２が複数設けられている場合には、この分圧回路４を複数接続し、それぞれの出力電圧を基準電圧６と比較してもよい。
【００２２】
上記実施例２の保護リレー１によれば、実施例１による効果のほかに、保護リレー１の内部回路に電源を供給する内部電圧変換装置２の故障などによる瞬低を監視することができる。
【図面の簡単な説明】
【００２３】
【図１】本発明の実施例１に係る保護リレーの回路構成を示す図。
【図２】本発明の実施例２に係る保護リレーの回路構成を示す図。
【符号の説明】
【００２４】
１  保護リレー
２  内部電圧変換装置
３  一次側制御電源
４  分圧回路
５  比較回路
６  基準電圧
７  ＣＰＵ
８  Ａ／Ｄ変換回路
９  電源保持回路
１０  不揮発性メモリ
１１  他の内部回路
【図１】
2007104770.tif 000003
【図２】
2007104770.tif 000004